(57)【特許請求の範囲】
【請求項１】
情報処理装置本体に開閉可能に取り付けられた表示部と、
前記表示部の背面側に配置した低音用のスピーカユニットと、
前記表示部の背面を形成する筐体と、
を備え、
前記表示部の背面を形成する筐体は、
前記スピーカユニットの放音方向に方音口である開口と、
前記スピーカユニットより発生する音が、前記筐体内を通り開口にまで至る音道には、前記筐体を隆起して形成した空洞部とを有し、
前記表示部を通常使用する角度まで開いた状態では、前記スピーカユニットより発生する音は、前記空洞部、前記筐体の開口を通して方音し、前記情報処理装置本体の設置面にぶつかり、設置面を共振するように構成したことを特徴とするスピーカユニット内蔵情報処理装置。
【請求項２】
前記情報処理装置本体と前記表示部との開閉角度が１００〜１２０度まで開いた状態では、前記スピーカユニットの放音方向が前記情報処理装置本体の設置面方向となることを特徴とする請求項１記載のスピーカユニット内蔵情報処理装置。
【請求項３】
前記低音用のスピーカユニットに加え、中または高音用スピーカを前記情報処理装置の他の場所に配することを特徴とする請求項１記載のスピーカユニット内蔵情報処理装置。
【発明の詳細な説明】
【０００１】
【発明の属する技術分野】
本発明は、スピーカを内蔵する情報処理装置に関し、詳しくは表示部が開閉式で携帯型のスピーカユニット内蔵情報処理装置に関するものである。
【０００２】
【従来の技術】
従来、ノートパソコンのような情報処理装置は、携帯性が求められ、軽く薄いものが主流となっている。また、ＣＤ、ＤＶＤなどの音楽メディアを再生するディスクドライブ装置を内蔵しており、これらの再生時やプレゼンテーション用に音声を出力するためのスピーカユニットが一緒に内蔵されている。
【０００３】
以下、従来の情報処理装置について図を用いて説明する。
【０００４】
図４は、従来の情報処理装置である携帯型ノートパソコンの断面図である。図において、４１はノートパソコンの本体部、４２は本体部４１にヒンジ４３によって回動可能に取り付けられた表示部である。表示部４２は表示パネル４２ａとそれを保護する筐体４２ｂとで構成されている。また、４４は本体部４１に内蔵されたスピーカユニットで、放音方向を上方に向けて取り付けられている。４５はノートパソコンの設置面である。
【０００５】
以上のように構成されたノートパソコンにおいて、ＣＤ、ＤＶＤ（図示せず）を再生する場合、表示部４２を開いた状態でスピーカユニット４４から音を再生する。
【０００６】
【発明が解決しようとする課題】
一般に、スピーカユニット内蔵の情報処理装置においては、低音領域の迫力ある音を再生することを要求されている。ＣＤ、ＤＶＤなどの再生においては迫力のある音が求められるが、近年の情報処理装置は携帯性を重要視するあまり、小型スピーカユニットを採用していることが多い。
【０００７】
一般にスピーカは、その振動エネルギーにあった背面容量を持った容器に入れることにより、周波数特性が確保できる。しかし、従来のスピーカユニット内蔵情報処理装置では、スピーカの特性を満足する背面容積が足りず、低音領域の再生が困難となり、結果として迫力ある音の再生ができないという問題があった。このような情報処理装置は、ＣＤ、ＤＶＤなどの再生時に迫力ある音を求めるため、音を大きくする増幅回路と大口径のスピーカユニットとを備えるとともにその背面容積を確保したドッキングステーションや、また、増幅回路内蔵スピーカユニットなどを外部に接続して使用していた。しかしながら、外部に他の機器を接続することは携帯性を低下させてしまう。
【０００８】
本発明は、スピーカユニット内蔵情報処理装置において、携帯性を阻害することなく、低音領域の迫力ある音の再生を可能にすることを目的とする。
【０００９】
【課題を解決するための手段】
この課題を解決するために本発明は、表示部にスピーカユニットを配置し、表示部が開かれたとき、スピーカーユニットの放音方向が情報処理装置本体の設置面方向となるように構成したものである。
【００１０】
これにより、携帯性を維持しつつ、低音領域の迫力ある音の再生を可能にするスピーカユニット内蔵情報処理装置が得られる。
【００１１】
【発明の実施の形態】
本発明の請求項１に記載している発明は、
情報処理装置本体に開閉可能に取り付けられた表示部と、
前記表示部の背面側に配置した低音用のスピーカユニットと、
前記表示部の背面を形成する筐体と、
を備え、
前記表示部の背面を形成する筐体は、
前記スピーカユニットの放音方向に方音口である開口と、
前記スピーカユニットより発生する音が、前記筐体内を通り開口にまで至る音道には、前記筐体を隆起して形成した空洞部とを有し、
前記表示部を通常使用する角度まで開いた状態では、前記スピーカユニットより発生する音は、前記空洞部、前記筐体の開口を通して方音し、前記情報処理装置本体の設置面にぶつかり、設置面を共振するように構成したことを特徴とするスピーカユニット内蔵情報処理装置であり、小型化した携帯型の情報処理装置において、低音の迫力のある音が再生できるという作用を有する。
【００１６】
請求項２に記載している発明は、請求項１記載のスピーカユニット内蔵情報処理装置において、
前記情報処理装置本体と前記表示部との開閉角度が１００〜１２０度まで開いた状態では、前記スピーカユニットの放音方向が前記情報処理装置本体の設置面方向となることを特徴とするものであり、
使用者が表示部をみる通常角度（１２０近辺）で機器設置面に低音領域反射波を反射させるようにすることによって、低音で迫力ある音を再生できるという作用を有する。
【００２０】
請求項３に記載している発明は、請求項１記載のスピーカユニット内蔵情報処理装置において、
前記低音用のスピーカユニットに加え、中または高音用スピーカを前記情報処理装置の他の場所に配することを特徴とするものであり、低音輻射波を機器設置面に反射させるようにして、重低音の迫力ある音を再生でき、他の中高音域は他のスピーカがカバーするという作用を有する。
【００２１】
以下、本発明の実施の形態について、図１から図３を用いて説明する。
【００２２】
（実施の形態１）
図１は、本発明の一実施の形態の情報処理装置である携帯型ノートパソコンを示す外観斜視図、また、図２は、断面図である。図において、１はノートパソコンの本体部、２は本体部１にヒンジ３によって回動可能に取り付けられた表示部である。表示部２は表示パネル２ａとそれを保護する筐体２ｂとで構成されている。また、４は表示部２に内蔵された低音用スピーカユニットで、表示部２が開いた状態で放音方向が下方に向くように取り付けられている。２ｃは筐体２ｂに設けられた放音口、２ｄは筐体２ｂ内の空洞である。５は本体部１に内蔵された中高音用スピーカユニットで、放音方向を上方に向けて取り付けられている。６はノートパソコンの設置面である。
【００２３】
以上のように構成されたノートパソコンにおいて、ＣＤ、ＤＶＤ（図示せず）を再生する場合、ヒンジ３を中心に表示部２を回転させ、図のように表示部２を通常使用角度（約１２０度近辺）に開いた状態でスピーカ４および５から音を出力する。音声がスピーカから出る時には、電気回路によって、高中音領域は、本体部１のスピーカユニット５より発生させ、低音成分の音は、表示部２の背面の筐体２ｂに配置された低音用スピーカ４から発生させ、下方の空洞２ｄを低音反射波が通り、放音口２ｃから放出される。放音口２ｃから出た低音反射波は表示部２がこの通常使用角度に開いた状態で設置面６にぶつかる。設置面６とぶつかる事により、設置面６が共振し、より迫力ある低音再生ができる。
【００２４】
本実施の形態においてスピーカユニット４の設置面６に対する放音方向は表示部２の開平角度によって変わってくるが、通常使用角度（約１２０度近辺）で最も効果が大きくなるようにしている。実際には１００〜１２０度の角度が望ましい。
【００２５】
本実施の形態では、スピーカユニットを表示部の筐体内に配置するため、デザイン等外観上の制約をなくすることができる。
【００２６】
また、スピーカユニットを表示部の背面に配置したため、表示面積を最大限利用できる。
【００２７】
なお、本実施の形態では、スピーカユニットを表示部の筐体内に配置したが、これを表示部の筐体外に着脱可能に取り付けるようにすれば、必要なときのみ低音再生を効果的に行うことができる。
【００２８】
（実施の形態２）
図３は、本発明の第２の実施の形態の情報処理装置である携帯型ノートパソコンを示す断面図である。図において、１１はノートパソコンの本体部、１２は本体部１１にヒンジ１３によって回動可能に取り付けられた表示部である。表示部１２は表示パネル１２ａとそれを保護する筐体１２ｂとで構成されている。また、１４は本体部１１に内蔵された低音用スピーカユニットで、本体部１１の底面から放音するように取り付けられている。また、１５は本体部１に内蔵された中高音用スピーカユニットで、放音方向を上方に向けて取り付けられている。１６はノートパソコンの設置面である。
【００２９】
以上のように構成されたノートパソコンにおいて、ＣＤ、ＤＶＤ（図示せず）を再生する場合、音声をスピーカから出力する時には、電気回路によって、高中音領域は、本体部１１のスピーカユニット１５より上方に発生させ、低音成分の音は、本体部１１に配置された低音用スピーカユニット１４から下方に発生させる。この低音用スピーカユニット１４から出た低音反射波は設置面１６にぶつかる。設置面１６とぶつかる事により、設置面１６が共振し、より迫力ある低音再生ができる。
【００３０】
なお、以上の実施の形態の説明では、低音用スピーカを表示部の背面に配置した例、本体部底面に配置した例で説明したが、配置する場所はノートパソコンの設置面に向けて放音できる場所であればどこでもよく、例えば表示部の左右側面に低音用スピーカユニットを配置すれば、厚み方向に寸法を増やす必要がなく、情報処理装置を薄型にすることができる。
【００３１】
【発明の効果】
以上のように本発明によれば、スピーカユニット内蔵情報処理装置において、低音用スピーカユニットを表示部背面や本体部底面に配置する事により、情報処理装置の携帯性を阻害することなく、このような低音領域の迫力ある音の再生を可能にするという有利な効果が得られる。
【図面の簡単な説明】
【図１】本発明の一実施の形態による携帯型ノートパソコンの外観斜視図
【図２】本発明の一実施の形態による携帯型ノートパソコンの断面図
【図３】本発明の第２の実施の形態による携帯型ノートパソコンの断面図
【図４】従来の携帯型ノートパソコンの断面図
【符号の説明】
１、１１  本体部
２、１２  表示部
２ｂ、１２ｂ  筐体
３、１３  ヒンジ
４、１４  低音用スピーカユニット
５、１５  中高音用スピーカユニット
６、１６  設置面
【図１】
0004082055.tif 000002
【図２】
0004082055.tif 000003
【図３】
0004082055.tif 000004
【図４】
0004082055.tif 000005